(57)【要約】      （修正有）【課題】使用するＬＥＤを少なくして消費電力を抑えることができる表示装置を提供すること。【解決手段】現場に設置される支持ユニットと、支持ユニットに取り付けられた表示体とを備えた表示装置。表示体８は、少なくとも１つの表示ユニット（花弁ユニット）１６を備え、この表示ユニット１６は、集光レンズ部が配置された第１表示領域と、表示導光部４２（４２Ａ〜４２Ｅ）が配置された第２表示領域とを備え、第１表示領域の集光レンズ部に対応して第１ＬＥＤが配設され、第２表示領域の表示導光部４２（４２Ａ〜４２Ｅ）に対応して第２ＬＥＤが配設される。第１表示領域は表示ユニット（花弁ユニット）１６の周縁部に設けられ、第２表示領域は第１表示領域の内側に設けられる。【選択図】図１０
2016100386.tif 000002
【特許請求の範囲】
【請求項１】
現場に設置される支持ユニットと、前記支持ユニットに取り付けられた表示体とを備えた表示装置において、
前記表示体は、少なくとも１つの表示ユニットを備え、前記表示ユニットは、集光レンズ部が配置された第１表示領域と、表示導光部が配置された第２表示領域とを備え、前記第１表示領域の前記集光レンズ部に対応して第１ＬＥＤが配設され、前記第２表示領域の前記表示導光部に対応して第２ＬＥＤが配設されていることを特徴とする表示装置。
【請求項２】
前記第１表示領域は前記表示ユニットの周縁部に設けられ、前記第２表示領域は前記第１表示領域の内側に設けられ、前記集光レンズ部は前記第１表示領域に間隔をおいて複数配置され、前記表示導光部は、前記第２表示領域に間隔をおいて複数配置され、複数の集光レンズ部の各々に対向して前記第１ＬＥＤが配設され、また複数の表示導光部の各々に対応して前記第２ＬＥＤが配設されていることを特徴とする請求項１に記載の表示装置。
【請求項３】
前記表示ユニットは、透明の合成樹脂から形成されたユニット導光部材を備え、前記ユニット導光部材は、前記表示ユニットの周縁部に位置する周縁導光部を有し、前記周縁導光部に間隔をおいて前記複数の集光レンズ部が設けられ、前記複数の表示導光部は前記周縁導光部に間隔をおいて一体的に設けられていることを特徴とする請求項２に記載の表示装置。
【請求項４】
前記ユニット導光部材の前記周縁導光部には、前記複数の表示導光部の各々に対応して光導入突部が設けられ、前記光導入突部に対応して前記第２ＬＥＤが配設され、前記複数の集光レンズ部は、前記複数の表示導光部の間に配置されていることを特徴とする請求項３に記載の表示装置。
【請求項５】
前記ユニット導光部材の前記周縁導光部の表面には、前記第１ＬＥＤからの光を拡散するための光拡散パターンが施され、また前記ユニット導光部材の前記複数の表示導光部の裏面には前記第２ＬＥＤからの光を導光するための光導光パターンが施されていることを特徴とする請求項３又は４に記載の表示装置。
【発明の詳細な説明】
【技術分野】
【０００１】
本発明は、工事用表示装置などとして用いられる表示装置に関する。
【背景技術】
【０００２】
道路、建築物などの工事現場において使用する工事用表示装置として、多数の発光ダイオード（本明細書では「ＬＥＤ」と称して説明する）を用いたものが知られている（例えば、特許文献１参照）。この表示装置は、円形状の表示本体を備え、この表示本体の表面側に複数の発光ユニット体及び複数の光反射体が所要の通りに配設されている。各発光ユニット体は、多数のＬＥＤが配設された発光基板と、この発光基板を支持する保持板と、発光基板の表面側を覆う透明カバー部材とを備え、各ＬＥＤとしてレンズ部により被覆されたものが用いられる。
【０００３】
このような表示装置では、発光源としてＬＥＤが用いられているので、消費電力を少なくすることができるとともに、各ＬＥＤからの光がレンズ部により集光されて照射されるので、ＬＥＤからの光をスポット的に明るくすることができる。
【先行技術文献】
【特許文献】
【０００４】
【特許文献１】特開平１０−８８５２８号公報
【発明の概要】
【発明が解決しようとする課題】
【０００５】
しかしながら、このような表示装置では、次の通りの解決すべき問題がある。第１に、発光ユニット体の発光基板に多数のＬＥＤを配置する構成であり、それ故に、発光領域を大きくすると配設するＬＥＤの個数も多くなり、ＬＥＤ自体消費電力は少ないが、使用するＬＥＤの個数が多くなると消費電力も大きくなり、また使用する個数が多くなると製作コストも高くなる。第２に、ＬＥＤの光は指向性が強く、特に砲弾型のものを使用した場合にはこの光の指向性が強く表れる傾向にあり、表示装置の発光源として用いたときに、その光がスポット的なものとなって目を刺激するようになり、目に対するこの刺激は、周囲が暗くなるほどその傾向がより強くなる。
【０００６】
本発明の目的は、使用するＬＥＤを少なくして消費電力を抑え、かつまぶしさを和らげ目に優しい表示装置を提供することである。
【０００７】
また、本発明の他の目的は、周囲の明るさに応じて効果的に表示することができる表示装置を提供することである。
【課題を解決するための手段】
【０００８】
本発明の請求項１に記載の表示装置は、現場に設置される支持ユニットと、前記支持ユニットに取り付けられた表示体とを備えた表示装置において、
前記表示体は、少なくとも１つの表示ユニットを備え、前記表示ユニットは、集光レンズ部が配置された第１表示領域と、表示導光部が配置された第２表示領域とを備え、前記第１表示領域の前記集光レンズ部に対応して第１ＬＥＤが配設され、前記第２表示領域の前記表示導光部に対応して第２ＬＥＤが配設されていることを特徴とする。
【０００９】
また、本発明の請求項２に記載の表示装置では、前記第１表示領域は前記表示ユニットの周縁部に設けられ、前記第２表示領域は前記第１表示領域の内側に設けられ、前記集光レンズ部は前記第１表示領域に間隔をおいて複数配置され、前記表示導光部は、前記第２表示領域に間隔をおいて複数配置され、複数の集光レンズ部の各々に対向して前記第１ＬＥＤが配設され、また複数の表示導光部の各々に対応して前記第２ＬＥＤが配設されていることを特徴とする。
【００１０】
また、本発明の請求項３に記載の表示装置では、前記表示ユニットは、透明の合成樹脂から形成されたユニット導光部材を備え、前記ユニット導光部材は、前記表示ユニットの周縁部に位置する周縁導光部を有し、前記周縁導光部に間隔をおいて前記複数の集光レンズ部が設けられ、前記複数の表示導光部は前記周縁導光部に間隔をおいて一体的に設けられていることを特徴とする。
【００１１】
また、本発明の請求項４に記載の表示装置では、前記ユニット導光部材の前記周縁導光部には、前記複数の表示導光部の各々に対応して光導入突部が設けられ、前記光導入突部に対応して前記第２ＬＥＤが配設され、前記複数の集光レンズ部は、前記複数の表示導光部の間に配置されていることを特徴とする。
【００１２】
更に、本発明の請求項５に記載の表示装置では、前記ユニット導光部材の前記周縁導光部の表面には、前記第１ＬＥＤからの光を拡散するための光拡散パターンが施され、また前記ユニット導光部材の前記複数の表示導光部の裏面には前記第２ＬＥＤからの光を導光するための光導光パターンが施されていることを特徴とする。
【発明の効果】
【００１３】
本発明の請求項１に記載の表示装置によれば、表示体の表示ユニットは、集光レンズ部が配置された第１表示領域と、表示導光部が配置された第２表示領域を備えているので、この第１表示領域の集光レンズ部に対応して配設された第１ＬＥＤからの光は、この集光レンズ部を通してスポット的に照射し、従って、明るく輝くように表示するようになり、また第２表示領域の表示導光部に対応して配設された第２ＬＥＤからの光は、この表示導光部を通して平面的に照射し、従って、平面的に柔らかく照らすように表示されるようになり、このような２種類の投光状態を利用して表示することが可能となる。また、第２表示領域については、表示導光部により平面的に投光するので、使用するＬＥＤの個数を少なくすることができ、これによって、消費電力を少なくすることができるとともに、製作コストの低減を図ることができる。
【００１４】
尚、このような表示装置は、道路工事現場に設置される道路工事用表示装置、建設現場に設置される建設工事用表示装置、各種施設などにおいて注意喚起用に設置される注意喚起用表示装置などに広く適用することができる。
【００１５】
また、本発明の請求項２に記載の表示装置によれば、第１表示領域は表示ユニットの周縁部に配置され、第２表示領域は第１表示領域の内側に配置されるので、内側の広い領域を表示する際に表示導光部によって平面的に投光することが可能となり、これによって、ＬＥＤの使用個数を効果的に減らすことができる。また、複数の集光レンズ部の各々に対向して第１ＬＥＤが配設されるので、第１ＬＥＤからの光を集光レンズ部を通してスポット的に照射することができ、また複数の表示導光部の各々に対応して第２ＬＥＤが配設されるので、第２ＬＥＤからの光を表示導光部を通して平面的に照射することができる。
【００１６】
また、本発明の請求項３に記載の表示装置によれば、ユニット導光部材の周縁導光部に間隔をおいて複数の集光レンズ部が設けられているので、表示ユニットの周縁部についてはスポット的に照射するようになり、その内側の表示導光部については平面的に照射するようになり、このようなユニット導光部材を透明な合成樹脂により比較的簡単に形成することができる。
【００１７】
また、本発明の請求項４に記載の表示装置によれば、ユニット導光部材の周縁導光部には各表示導光部に対応して光導入突部が設けられているので、第２ＬＥＤからの光は対応する光導入突部を通して表示導光部に導入される。また、複数の集光レンズ部は複数の表示導光部の間に配置されているので、第１ＬＥＤからの光が表示導光部に流れるのが抑えられ、第１ＬＥＤからの光を集光レンズ部を通してスポット的に照射し、第２ＬＥＤからの光を光導入突部及び表示導光部を通して平面的に照射することができる。
【００１８】
更に、本発明の請求項５に記載の表示装置によれば、ユニット導光部材の周縁導光部の表面には光拡散パターンが施されているので、この周縁導光部に流れた光はこの光拡散パターンを通して周囲に拡散させることができる。また、ユニット導光部材の複数の表示導光部の裏面には光導光パターンが施されているので、第２ＬＥＤからの光はこの光導光パターンによって所要の通りに導光され、これによって、この表示導光部の実質上全域の明るさをほぼ均一にすることができる。
【図面の簡単な説明】
【００１９】
【図１】本発明に従う表示装置の一実施形態を示す正面図。
【図２】図１の表示装置における第１表示ユニットの１つを示す正面図。
【図３】図２の表示ユニットに用いられたユニット導光部材を示す平面図。
【図４】図３においけるＩＶ−ＩＶ線による部分拡大断面図。
【図５】図３におけるＶ−Ｖ線による部分拡大断面図。
【図６】図１の表示装置における第２表示ユニットを示す正面図。
【図７】図６におけるＶＩＩ−ＶＩＩ線による部分拡大断面図。
【図８】図１の表示装置の表示体を簡略的に示す正面図。
【図９】第１の環境状態における表示体の点灯パターンの一例を示す説明図。
【図１０】第２の環境状態における表示体の点灯パターンの一例を示す説明図。
【発明を実施するための形態】
【００２０】
以下、添付図面を参照して、本発明に従う表示装置の一実施形態について説明する。図１において、図示の表示装置２は、工事現場、施工現場などの地面４に設置される支持ユニット６と、この支持ユニット６に取り付けられた表示体８とを備えている。支持ユニット６は、地面４などに載置されるベース部材１０と、このベース部材１０から上方に延びる支持ポール１２とを有し、この支持ポール１２の上端部に表示体８が取付具（図示せず）などを用いて取り付けられる。
【００２１】
図１とともに図２を参照して、図示の表示体８は全体として桜花の形状をしており、その中心部に、花心ユニット１４が配設され、この花心ユニット１４の周囲に、表示ユニットとしての花弁ユニット１６が周方向に接するように５つ配設され、花心ユニット１４及び５つの花弁ユニット１６が着脱自在に組み合わされて表示体８を構成している。
【００２２】
５つの花弁ユニット１６は実質上同一の構成であり、図２〜図５を参照して、それらの１つの構成について説明する。図示の花弁ユニット１６は、桜花の花弁形状に形成された花弁ハウジング１８を備え、この花弁ハウジング１８内の表面側の大部分が開放され、その内部は表面側が開放された花弁形状の収容空間を規定する。
【００２３】
この花弁ハウジング１８の収容空間には、後述する複数のＬＥＤ２０，２２、即ち第１ＬＥＤ２０（図３参照）及び第２ＬＥＤ２２（図２参照）が実装されたＬＥＤ回路基板２４、反射部材２６及びユニット導光部材２８が、収容空間の開口側に向けてこの順に配設され、これらを収容した花弁ハウジング１８の開口が透明なカバー部材（図示せず）により覆われている（図５参照）。ＬＥＤ回路基板２４は、例えば、所要の回路パターンが形成されたフレキシブル基板などから構成され、後述するように所定部位に第１及び第２ＬＥＤ２０，２２が実装され、この回路パターンを介して点灯電流を供給することにより、第１及び第２ＬＥＤ２０，２２が後述するように点灯する。
【００２４】
また、反射部材２６は、花弁ハウジング１８の上記収容空間の形状に対応した花弁形状に形成され、その表面に例えば銀蒸着層３０が設けられ、第１及び第２ＬＥＤ２０，２２からの光を花弁ハウジング１８の開口側（即ち、その表面側のユニット導光部材２８）に向けて反射する。尚、この反射部材２６には、第１及び第２ＬＥＤ２０，２２の配設部位に対応して開口３２（図５にその１つのみ示す）が設けられ、第１及び第２ＬＥＤ２０，２２の発光部は、対応する開口３２を通して花弁ハウジング１８の開口側（即ち、ユニット導光部材２８側）に露出している。
【００２５】
この実施形態では、花弁ユニット１６（即ち、花弁ハウジング１８）の開口部が点灯表示部３４として機能し、後述するように点灯して自動車などの運転者、現場を通行する歩行者、現場で作業を行う作業者などに対して注意を喚起するように用いられる。主として図２及び図３を参照して更に説明すると、花弁ユニット１６の点灯表示部３４は、第１ＬＥＤ２０からの光をスポット的に投光する第１表示領域３６と、第２ＬＥＤ２２からの光を平面的に投光する第２表示領域３８とを含んでおり、図示の例では、第１表示領域３６が点灯表示部３４の周縁部に設けられ、第２表示領域３８がこの第１表示領域３６の内側に設けられている。第１及び第２表示領域３６，３８は、この点灯表示部３４の適宜の箇所に配置することができ、例えば点灯表示部３４の先端に向けて交互に帯状となるように配置してもよく、或いは点灯表示部３４の基部及び先端部に第１表示領域３６を配置するとともに、これらの第１表示領域３６の間に第２表示領域３８を配置するようにしてもよい。
【００２６】
花弁ユニット１６の点灯表示部３４の上述した構成に関連して、ユニット導光部材２８は、次のように構成されている。図示のユニット導光部材２８は透明な合成樹脂（例えば、アクリルやポリカーボネイトなど）から形成され、第１表示領域３６に対応して設けられる周縁導光部４０と、第２表示領域３８に対応して設けられる表示導光部４２とを備えている。この形態では、表示導光部４２は、花弁ユニット１６の先端に向けて複数設けられ、これら表示導光部４２の両端部が周縁導光部４０に一体的となるように接続され、このようなユニット導光部材２８は、例えば合成樹脂の一体もしくは複式成形により形成される。
【００２７】
ユニット導光部材２８の周縁導光部４０には、所望の間隔をおいて複数の集光レンズ部４４が設けられている。これら集光レンズ部４４は略砲弾形状であり、周縁導光部４０から花弁ユニット１６の表面側（図５において上方）に向けて突出している。これら集光レンズ部４４の各々に対応して、その下側に第１ＬＥＤ２０が配設されている（図３参照）。各第１ＬＥＤ２０は、対応する集光レンズ部４４に向けて光を照射し、照射された光は集光レンズ部４４を通して集光された後に外部に向けて投射される。集光レンズ部４４を通して投射される光は、スポット的な光となり、比較的強い輝きをもって照射され、例えば昼間の明るいときでも視認することができる。このように用いられる第１ＬＥＤ２０としては、砲弾型ＬＥＤを好都合に用いることができる。
【００２８】
ユニット導光部材２８の複数の表示導光部４２の各々に対応して、第２ＬＥＤ２２（図２、図３参照）が配設されている。この形態では、各表示導光部４２の両端部に対応する周縁導光部４０の外周端部に光導入突部４６が設けられ、これら光導入突部４６の各々に対応して、その外側に第２ＬＥＤ２２が配設されている。各第２ＬＥＤ２２は、対応する光導入突部４６に向けて光を照射し、照射された光は光導入突部４６及び表示導光部４２を通して導光された後に外部に投射される。表示導光部４２を通して投射される光は、平面的な優しいものとなり、比較的弱い輝きでもって前方を照射し、例えば夜間の暗いときでも視認することができる。第２ＬＥＤ２２からの光をこのように表示導光部４２を通して表示することにより、少ない個数の第２ＬＥＤ２２でもって比較的広い領域を照射することができ、消費電力を効果的に抑えることができる。このように用いられる第２ＬＥＤ２２としては、サイド投光型チップＬＥＤを好都合に用いることができる。
【００２９】
このことに関連して、周縁導光部４０に設けられた集光レンズ部４４は、光導入突部４６の間（換言すると、隣接する表示導光部４２の間）に設けるのが好ましい。このように構成することによって、第２ＬＥＤ２２からの光は、光導入突部４６及び周縁導光部４０を通して表示導光部４２に導かれ、また第１ＬＥＤ２０からの光は、周縁導光部４０を通して集光レンズ部４４に導かれ、第１ＬＥＤ２０からの光が表示導光部４２に流れるのを抑えることができる。
【００３０】
この形態では、ユニット導光部材２８の周縁導光部４０の表面（図３において紙面に対して表面側、図５において上面側）には、光拡散パターン５０が施されており、この光拡散パターン５０は、周縁導光部４０の長手方向に対して略垂直な方向に延びる多数の突条５２、例えば断面が三角状の突条から構成され、集光レンズ部４４を除くほぼ全域に光拡散パターン５０が設けられている。
【００３１】
この光拡散パターン５０は、ユニット導光部材２８の周縁導光部４０から表面側に照射される光を周囲に拡散し、第１ＬＥＤ２０からこの周縁導光部４０を通して導光される光は、集光レンズ部４４において集光されてスポット的に強く照射するとともに、集光レンズ部４４を除く部分においては光拡散パターン５０により拡散されてほぼ均一に照射する。
【００３２】
また、ユニット導光部材２８の表示導光部４２の裏面（図３において紙面に対して裏面側、図４において下面側）には、光導光パターン５４が設けられており、この光導光パターン５４は、表示導光部４２における光導光方向（図３において略左右方向）に対して略垂直な方向に延びる多数の突条５６、例えば断面が三角状の突条から構成され、表示導光部４２の実質上全域に施されている。
【００３３】
光導光パターン５４は、ユニット導光部材２８の表示導光部４２を通して導光される光を所要の通りに導光し、第２ＬＥＤ２２からこの表示導光部４２に導かれた光は、光導光パターン５４により所要の通りに導かれて表示導光部４２を通してほぼ均一に照射する。
【００３４】
この表示導光部４２の表面（光導光パターン５４が設けられた面と反対の面）に、更に、光拡散表面処理を施すようにしてもよい。この光拡散表面処理として、例えば表示導光部４２の表面にブラスト加工を施すようにしてもよく、このブラスト加工を施すとその表面に多数の小さな凹凸が生じ、これによって、表示導光部４２からの光が周囲に拡散してより均一に照射することができる。
【００３５】
次に、図６及び図７を参照して、花心ユニット１４について説明する。図示の花心ユニット１４は、桜花の花心形状に形成された花心ハウジング６２を備え、この花心ハウジング６２内の表面側の大部分が開放され、その内部は表面側が開放された花心形状（この形態では、円筒形状）の収容空間を規定する。
【００３６】
この花心ハウジング６２の収容空間には、花弁ユニット１６と略同様に、第３及び第４ＬＥＤ６４，６６が実装されたＬＥＤ回路基板６８、反射部材７０及びユニットレンズ部材７２が、収容空間の開口側に向けてこの順に配設され、これらを収容した花心ハウジング６２の開口が透明なカバー部材（図示せず）により覆われている。ＬＥＤ回路基板６８には、例えば、所要の回路パターンが形成されており、この回路パターンを介して点灯電流を供給することにより、第３及び第４ＬＥＤ６４，６６が後述するように点灯する。尚、第３及び第４ＬＥＤ６４，６６は、例えば砲弾型ＬＥＤから構成される。
【００３７】
また、反射部材７０は、花弁ユニット１６の反射部材２６と同様の構成を有し、その表面に例えば銀蒸着層７４が設けられ、第３及び第４ＬＥＤ６４，６６からの光を花心ハウジング６２の開口側（即ち、ユニットレンズ部材７２側）に向けて反射する。尚、この反射部材６８には、第３及び第４ＬＥＤ６４，６６の配設部位に対応して開口７６（図７にその１つのみ示す）が設けられ、第３及び第４ＬＥＤ６４，６６の発光部は、対応する開口７６を通して花心ハウジング６２の開口側（即ち、ユニットレンズ部材７２側）に露出している。
【００３８】
この花心ユニット１４（即ち、花心ハウジング６２）の開口部が点灯表示部７８として機能し、図示の点灯表示部７８は、その外周部に位置する第３表示領域８０と、その中心部（即ち、第３表示領域８０の内周側）に位置する第４表示領域８２とを含んでいる。この形態では、ユニットレンズ部材７２の外周部（第３表示領域８０に対応する部位）には、周方向に間隔をおいて複数（この形態では、５つ）の拡散・集光レンズ部８４が設けられ、第３ＬＥＤ６４は、拡散・集光レンズ部８４に対応してその下方に配設されている。
【００３９】
複数の拡散・集光レンズ部８４は実質上同一の構成であり、主として図７を参照してそれらの１つについて説明すると、図示の拡散・集光レンズ部８４は、ユニットレンズ部材７２の裏面側（図７において下方）に突出する下部拡散レンズ部８６と、その表面側（図７において上方）に突出する上部集光レンズ部８８とを備え、この上部集光レンズ部８８の中央部には、第３ＬＥＤ６４の配設部位に対応して円筒状凹部９０が設けられている。このように構成されているので、第３ＬＥＤ６４からの光は、下部拡散レンズ部８６により拡散された後に上部集光レンズ部８８により中央部に集光され、かく拡散・集光されることによりスポット的に明るく照射する。
【００４０】
また、ユニットレンズ部材７２の中央部（第４表示領域８２に対応する部位）には、拡散レンズ部９２が設けられ（図６参照）、第４ＬＥＤ６６は、この拡散レンズ部９２に対応してその下方に配設されている。このように構成されているので、第４ＬＥＤ６６からの光は、拡散レンズ部９２により拡散された後に投光され、かく拡散されることにより周囲に拡がるように照射する。
【００４１】
上述した表示装置２は、花心ユニット１４（換言すると、第３及び第４ＬＥＤ６４，６６）及び花弁ユニット１６（換言すると、第１及び第２ＬＥＤ２０，２２）に供給される点灯電流を制御することによって種々に点灯制御することができるが、次に、これら点灯制御の代表的制御について説明する。
【００４２】
図８は、点灯制御する前の状態を示し、この図８に示す状態は、図９（ａ）及び図１０（ａ）に示す状態と同じ状態である。尚、この点灯状態を説明するための図８〜図１０において、表示体８の花心ユニット１４については、ユニットレンズ部材７２の拡散・集光レンズ部８４及び拡散レンズ部９２を示し、各花弁ユニット１６については、ユニット導光部材２８における周縁導光部４０の集光レンズ部４４及び表示導光部４２（図８〜図１０では説明を簡単にするために４つ示し、径方向外方に向けて符号４２Ａ，４２Ｂ，４２Ｃ，４２Ｄ，４２Ｅを付す）を示している。尚、図９及び図１０において、白色は非点灯状態を示し、黒色は点灯状態を示している。
【００４３】
例えば昼間などの周囲が明るい第１環境状態のときには、代表的な例として、図９に示すように点灯制御される。即ち、この表示体８は、図９（ｂ）に示す第１照明状態と図９（ｃ）で示す第２照明状態とが交互になるように点灯制御される。第１照明状態においては、図９（ｂ）で示すように、花心ユニット１４の第３及び第４ＬＥＤ６４，６６が点灯され、第３表示領域８０（即ち、拡散・集光レンズ部８４及び第４表示領域８２の拡散レンズ部９２）を通して投射される。また、第２照明状態においては、図９（ｃ）で示すように、花弁ユニット１６の第１ＬＥＤ２０が点灯され、各花弁ユニット１６の第１表示領域３６（即ち、周縁導光部４０の集光レンズ部４４）を通して投射される。これらの点灯制御状態では、花心ユニット１４の第３及び第４ＬＥＤ６４，６６並びに花弁ユニット１６の第１ＬＥＤ２０の光がスポット的に明るく投光され、それ故に、昼間などの明るいときにも表示体８の点灯制御状態を容易に視認することができる。
【００４４】
尚、昼間などの点灯制御は、上述した点灯制御に限定されず、第１照明状態及び第２照明状態に加えて第３照明状態を設け、第３照明状態においては花心ユニット１４の第３及び第４ＬＥＤ６４，６６を点灯する（第１照明状態）とともに、花弁ユニット１６の第１ＬＥＤ２０を点灯し（第２照明状態）、第１〜第３照明状態を順に繰り返すように制御するようにしてもよく、或いは第１及び第２照明状態の後に第３照明状態を２回繰り返し、上述した照明状態を１サイクルとしてこのサイクルを繰り返すように制御するようにしてもよい。
【００４５】
また、例えば夜間などの周囲が暗い第２環境状態のときには、代表的な例として、図１０に示すように点灯制御される。即ち、この表示体８は、図１０（ｂ）に示す第１照明状態、図１０（ｃ）に示す第２照明状態、図１０（ｄ）に示す第３照明状態、図１０（ｅ）に示す第４照明状態及び図１０（ｆ）で示す第５照明状態がこの順に繰り返されるように点灯制御される。第１照明状態においては、図１０（ｂ）で示すように、各花弁ユニット１６の第２ＬＥＤ２２のうち最も内側のものが点灯され、第２表示領域３０の最も内側の表示導光部４２Ａを通して平面的に投射される。また、第２照明状態においては、図１０（ｃ）で示すように、各花弁ユニット１６の内側から第２番目までの第１ＬＥＤ２０が点灯され、第２表示領域３０の内側から第２番目までの表示導光部４２Ａ，４２Ｂを通して平面的に投射される。更に、第３照明状態（又は第４照明状態、第５照明状態）においては、図１０（ｄ）（又は図１０（ｅ）、図１０（ｆ））で示すように、各花弁ユニット１６の内側から第３番目（又は第４番目、第５番目）までの第１ＬＥＤ２０が点灯され、第２表示領域３０の内側から第３番目（又は第４番目、第５番目）までの表示導光部４２Ａ，４２Ｂ，４２Ｃ（又は４２Ａ〜４２Ｄ、４２Ａ〜４２Ｅ）を通して平面的に投射される。これらの点灯制御状態では、各花弁ユニット１６の第２ＬＥＤ２２からの光が表示導光部４２Ａ〜４２Ｅを通して平面的に優しく照射され、夜間などにおいては強く照射しなくても表示体８の点灯制御状態を容易に視認することができる。特に、この点灯制御では、径方向内側から外側に向けて順に表示導光部４２Ａ〜４２Ｄが照射状態に変わっていくので、表示体８のデザインとしての桜の花が満開になっていく様子を表現することができ、見る人にとって心が安らぐものとして提供することができる。
【００４６】
尚、夜間などの点灯制御についても、上述した点灯制御に限定されず、第１照明状態から第５照明状態を行った後にこの第５照明状態を２回繰り返し、これらの照明状態を１サイクルとしてこのサイクルを繰り返すように制御するようにしてもよく、或いは各花弁ユニット１６を第５照明状態に点灯させるが、これら花弁ユニット１６を同時に第５照明状態にするのではなく、例えば時計方向に回るようにこれらの花弁ユニット１６を１つずつ第５照明状態になるように点灯制御するようにしてもく、更にはこれら花弁ユニット１６の照明状態に上述した花心ユニット１４の照明状態を組み合わせるように点灯制御するようにしてもよい。
【００４７】
以上、本発明に従う表示装置の一実施形態について説明したが、本発明はかかる実施形態に限定されるものではなく、本発明の範囲を逸脱することなく種々の変形乃至修正が可能である。
【００４８】
例えば、上述した実施形態では、ユニット導光部材２８の各表示導光部４２の両側に第２ＬＥＤ２２を配設し、第２ＬＥＤ２２からの光を両側から導入して表示導光部４２を平面的に光らせているが、このような構成に代えて、この表示導光部４２の片側のみに第２ＬＥＤ２２を配設し、この第２ＬＥＤ２２からの光を片側から導入して表示導光部４２を平面的に光らせるようにしてもよい。
【００４９】
また、例えば、上述した実施形態では、表示ユニット（花弁ユニット１６）は２つの表示領域（即ち、第１及び第２表示領域３６，３８）を備え、これら２つの表示領域の点灯状態を変えているが、このような構成に限定されず、３つ以上の表示領域を設け、これら３つ以上の表示領域の点灯状態を変えるようにしてもよい。
【００５０】
また、例えば、上述した実施形態では、表示装置のデザインとして桜花に適用して説明したが、このような桜花に限定されず、ヒマワリ、コスモスなどの他の花のデザインを適用することもでき、花以外の動物、植物、建造物などのデザインを適用するようにしてもよく、この場合、所要形状の１つの表示ユニットから構成するようにしてもよく、或いは所要形状の複数の表示ユニットを組み合わせて構成するようにしてもよい。
【符号の説明】
【００５１】
２  表示装置
６  支持ユニット
８  表示体
１４  花心ユニット
１６  花弁ユニット
１８  花弁ハウジング
２０  第１ＬＥＤ
２２  第２ＬＥＤ
２８  ユニット導光部材
３６  第１表示領域
３８  第２表示領域
４０  周縁導光部
４２，４２Ａ，４２Ｂ．４２Ｃ，４２Ｄ，４２Ｅ  表示導光部
４４  集光レンズ部
４６  光導入突部
【図１】
2016100386.tif 000003
【図２】
2016100386.tif 000004
【図３】
2016100386.tif 000005
【図４】
2016100386.tif 000006
【図５】
2016100386.tif 000007
【図６】
2016100386.tif 000008
【図７】
2016100386.tif 000009
【図８】
2016100386.tif 000010
【図９】
2016100386.tif 000011
【図１０】
2016100386.tif 000012